【手続補正書】
【提出日】平成29年12月14日(2017.12.14)
【手続補正１】
【補正対象書類名】明細書
【補正対象項目名】発明の名称
【補正方法】変更
【補正の内容】
【発明の名称】通信ゲームシステムおよび通信制御方法
【手続補正２】
【補正対象書類名】明細書
【補正対象項目名】０００１
【補正方法】変更
【補正の内容】
【０００１】
この発明は、通信ゲームシステムおよび通信制御方法に関し、特にたとえば、複数のゲーム装置がネットワークを介して通信する通信ゲームシステムおよび通信制御方法に関する。
【手続補正３】
【補正対象書類名】明細書
【補正対象項目名】０００７
【補正方法】変更
【補正の内容】
【０００７】
それゆえに、この発明の主たる目的は、新規な、通信ゲームシステムおよび通信制御方法を提供することである。
【手続補正４】
【補正対象書類名】明細書
【補正対象項目名】０００８
【補正方法】変更
【補正の内容】
【０００８】
この発明の他の目的は、参加し易いネットワークゲームを実現できる、通信ゲームシステムおよび通信制御方法を提供することである。
【手続補正５】
【補正対象書類名】明細書
【補正対象項目名】０００９
【補正方法】変更
【補正の内容】
【０００９】
この発明の更なる目的は、識別情報を登録した相手とだけネットワーク通信をすることができる、通信ゲームシステムおよび通信制御方法を提供することである。
【手続補正６】
【補正対象書類名】明細書
【補正対象項目名】００１０
【補正方法】変更
【補正の内容】
【００１０】
この発明のその他の目的は、近距離無線によって通信を行った相手と離れた場所でも通信することのできる、通信ゲームシステムおよび通信制御方法を提供することである。
【手続補正７】
【補正対象書類名】明細書
【補正対象項目名】００１１
【補正方法】変更
【補正の内容】
【００１１】
請求項１の発明は、ネットワーク通信を行う通信手段を備え、各々に識別情報が付与される複数のゲーム装置を含む通信ゲームシステムである。通信ゲームシステムは、登録手段および判断手段を備える。登録手段は、複数のゲーム装置のゲーム装置毎に、他のゲーム装置の識別情報をリストに登録する。判断手段は、複数のゲーム装置のうちの或るゲーム装置の識別情報が、複数のゲーム装置のうちの他のゲーム装置のリストに含まれるか否かを判断する。ゲームシステムは、判断手段によって、或るゲーム装置の識別情報が他のゲーム装置のリストに含まれると判断されたことを条件として、当該或るゲーム装置が通信手段を用いて当該他のゲーム装置とネットワーク通信を行うことを許可する。また、登録手段は、複数のゲーム装置のうちの或るゲーム装置のリストに複数のゲーム装置のうちの他のゲーム装置の識別情報を登録する旨の指示があったときに、当該他のゲーム装置のリストに当該或るゲーム装置の識別情報を登録する旨の指示があったか否かに関わらず、当該或るゲーム装置のリストに当該他のゲーム装置の識別情報を登録する。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
請求項３の発明は、ネットワーク通信を行う通信手段を備え、各々に識別情報が付与される複数のゲーム装置を含む通信ゲームシステムにおいて実行される通信制御方法であって、登録ステップおよび判断ステップを含む。登録ステップは、複数のゲーム装置のゲーム装置毎に、他のゲーム装置の識別情報を登録する。判断ステップは、複数のゲーム装置のうちの或るゲーム装置の識別情報が、複数のゲーム装置のうちの他のゲーム装置の登録に含まれるか否かを判断する。通信ゲームシステムは、判断ステップにおいて或るゲーム装置の識別情報が他のゲーム装置の前記登録に含まれると判断されたことを条件として、或るゲーム装置が通信手段を用いて他のゲーム装置とネットワーク通信を行うことを許可する。また、登録ステップは、複数のゲーム装置のうちの或るゲーム装置において複数のゲーム装置のうちの他のゲーム装置の識別情報を登録する旨の指示があったときに、当該他のゲーム装置において当該或るゲーム装置の識別情報を登録する旨の指示があったか否かに関わらず、当該或るゲーム装置について当該他のゲーム装置の識別情報を登録する。
【手続補正２２】
【補正対象書類名】明細書
【補正対象項目名】００３９
【補正方法】削除
【補正の内容】
【手続補正２３】
【補正対象書類名】特許請求の範囲
【補正対象項目名】全文
【補正方法】変更
【補正の内容】
【特許請求の範囲】
【請求項１】
ネットワーク通信を行う通信手段を備え、各々に識別情報が付与される複数のゲーム装置を含む通信ゲームシステムであって、
前記複数のゲーム装置のゲーム装置毎に、他のゲーム装置の前記識別情報をリストに登録する登録手段、および
前記複数のゲーム装置のうちの或るゲーム装置の前記識別情報が、前記複数のゲーム装置のうちの他のゲーム装置の前記リストに含まれるか否かを判断する判断手段を備え、
前記判断手段によって、前記或るゲーム装置の識別情報が前記他のゲーム装置の前記リストに含まれると判断されたことを条件として、当該或るゲーム装置が前記通信手段を用いて当該他のゲーム装置とネットワーク通信を行うことを許可し、
前記登録手段は、前記複数のゲーム装置のうちの或るゲーム装置の前記リストに前記複数のゲーム装置のうちの他のゲーム装置の前記識別情報を登録する旨の指示があったときに、当該他のゲーム装置の前記リストに当該或るゲーム装置の前記識別情報を登録する旨の指示があったか否かに関わらず、当該或るゲーム装置の前記リストに当該他のゲーム装置の前記識別情報を登録する、通信ゲームシステム。
【請求項２】
前記判断手段は、新たな通信ゲームを開始するたびに、前記或るゲーム装置の識別情報が、前記他のゲーム装置の前記リストに含まれるか否かを判断する、請求項１記載の通信ゲームシステム。
【請求項３】
ネットワーク通信を行う通信手段を備え、各々に識別情報が付与される複数のゲーム装置を含む通信ゲームシステムにおいて実行される通信制御方法であって、
前記複数のゲーム装置のゲーム装置毎に、他のゲーム装置の前記識別情報を登録する登録ステップ、および
前記複数のゲーム装置のうちの或るゲーム装置の前記識別情報が、前記複数のゲーム装置のうちの他のゲーム装置の前記登録に含まれるか否かを判断する判断ステップを含み、
前記判断ステップにおいて前記或るゲーム装置の識別情報が前記他のゲーム装置の前記登録に含まれると判断されたことを条件として、前記或るゲーム装置が前記通信手段を用いて前記他のゲーム装置とネットワーク通信を行うことを許可し、
前記登録ステップは、前記複数のゲーム装置のうちの或るゲーム装置において前記複数のゲーム装置のうちの他のゲーム装置の前記識別情報を登録する旨の指示があったときに、当該他のゲーム装置において当該或るゲーム装置の前記識別情報を登録する旨の指示があったか否かに関わらず、当該或るゲーム装置について当該他のゲーム装置の前記識別情報を登録する、通信制御方法。